(57)【要約】【課題】太陽電池モジュールストリングの電圧が電力変換装置の運転許容電圧範囲を逸脱することを抑制することができるように構築された太陽光発電システム、太陽電池モジュールおよび太陽電池モジュール直列数調整装置を提供する。【解決手段】太陽光発電システムは、複数の太陽電池モジュールが直列に接続された太陽電池モジュールストリングと、太陽電池モジュールストリングから電力を受け取る電力変換装置と、太陽電池モジュールストリングのなかの複数の太陽電池モジュールのうち一部の所定太陽電池モジュールのみに設けられ、所定太陽電池モジュールの温度が予め定められた閾値温度を下回ると所定太陽電池モジュールの正極負極間を短絡させる経路を設けることで、太陽電池モジュールストリングから所定太陽電池モジュールを電気的に切り離すように構築された直列数調整手段と、を備える。【選択図】図２
2020120554.tif 000002
【特許請求の範囲】
【請求項１】
複数の太陽電池モジュールが直列に接続された太陽電池モジュールストリングと、
前記太陽電池モジュールストリングから電力を受け取る電力変換装置と、
前記太陽電池モジュールストリングのなかの前記複数の太陽電池モジュールのうち一部の所定太陽電池モジュールのみに設けられ、前記所定太陽電池モジュールの温度が予め定められた閾値温度を下回ると前記所定太陽電池モジュールの正極負極間を短絡させる経路を設けることで、前記太陽電池モジュールストリングから前記所定太陽電池モジュールを電気的に切り離すように構築された直列数調整手段と、
を備える太陽光発電システム。
【請求項２】
前記電力変換装置は、運転許容電圧範囲を有し、
前記所定太陽電池モジュールの温度が前記閾値温度を下回ったときに前記所定太陽電池モジュールが前記太陽電池モジュールストリングに接続されたままである場合には前記電力変換装置に入力される電圧が前記運転許容電圧範囲を超える状態となり、前記所定太陽電池モジュールの温度が前記閾値温度を下回ったときに前記直列数調整手段が前記太陽電池モジュールストリングから前記所定太陽電池モジュールを電気的に切り離すことで前記電力変換装置に入力される電圧が前記運転許容電圧範囲に収まるように構築された請求項１に記載の太陽光発電システム。
【請求項３】
前記直列数調整手段は、
前記所定太陽電池モジュールの前記正極負極間に並列接続され、前記所定太陽電池モジュールの温度が前記閾値温度を下回るとオンとなることで前記正極負極間を短絡させるサーモスタットを含む請求項１に記載の太陽光発電システム。
【請求項４】
前記直列数調整手段は、前記所定太陽電池モジュールとは別の部品として外付された外付部品である請求項１に記載の太陽光発電システム。
【請求項５】
前記所定太陽電池モジュールは、第一所定太陽電池モジュールと第二所定太陽電池モジュールとを含み、
前記直列数調整手段は、前記第一所定太陽電池モジュールの温度が第一閾値温度を下回ったときに前記第一所定太陽電池モジュールを前記太陽電池モジュールストリングから切り離し、前記第二所定太陽電池モジュールの温度が前記第一閾値温度と異なる第二閾値温度を下回ったときに前記第二所定太陽電池モジュールを前記太陽電池モジュールストリングから電気的に切り離すように構築された請求項１に記載の太陽光発電システム。
【請求項６】
直列に接続された複数の太陽電池セルと、
前記複数の太陽電池セルからなる直列回路の正極および負極が連通したジャンクションボックスと、
周囲温度が予め定められた閾値温度を下回ると前記ジャンクションボックスの前記正極と前記負極との間を短絡させる直列数調整手段と、
を備える太陽電池モジュール。
【請求項７】
筐体と、
前記筐体の外に連通し、太陽電池モジュールの一方の極のケーブルと接続するための第一端子と、
前記筐体の外に連通し、前記太陽電池モジュールの他方の極のケーブルと接続するための第二端子と、
前記筐体の外に連通し、前記筐体の内部で前記第一端子と電気接続され、前記太陽電池モジュールとは異なる他の太陽電池モジュールのケーブルと接続するための第三端子と、
前記筐体の外に連通し、前記筐体の内部で前記第二端子と電気接続された第四端子と、
前記第一端子と前記第三端子とを繋ぐ配線と前記第二端子と前記第四端子とを繋ぐ配線との間の電気接続を短絡と開放とで可逆的に切り替えるスイッチと、
を備える太陽電池モジュール直列数調整装置。
【発明の詳細な説明】
【技術分野】
【０００１】
この出願は、太陽光発電システム、太陽電池モジュールおよび太陽電池モジュール直列数調整装置に関する。
【背景技術】
【０００２】
従来、例えば特開平６−６９４０号公報に記載されているような各種の太陽光発電システムが知られている。この従来技術にかかるシステムは、複数の太陽電池群の接続形態を切替可能に設けられた多数のリレーと、高効率発電のための好ましい直列接続数を演算する演算部と、演算部の指令に従って多数のリレーを制御するコントロール部とを含んでいる。
【０００３】
なお、上記公報の図２（Ｂ）および段落００１２では、周囲温度と太陽電池の電圧とが概略反比例の関係にあることが述べられている。
【先行技術文献】
【特許文献】
【０００４】
【特許文献１】特開平６−６９４０号公報
【発明の概要】
【発明が解決しようとする課題】
【０００５】
複数の太陽電池モジュールを直列接続したものは、太陽電池モジュールストリングと呼ばれる。太陽電池モジュールストリングで発生する電圧は、太陽電池モジュールの直列数と太陽電池モジュールの温度とに依存する。複数の太陽電池モジュールの電圧が温度依存性を持つのと同様に、太陽電池モジュールストリングで発生する電圧も温度依存性を持つ。
【０００６】
一方、太陽電池モジュールストリングに接続された電力変換装置は、予め設定された運転許容電圧範囲を持っている。電力変換装置が好適に運転されるためには、太陽電池モジュールストリングの電圧がこの運転許容電圧範囲に収まっている必要がある。
【０００７】
周囲温度と太陽電池の電圧とが概略反比例の関係にあるので、太陽電池モジュールの温度が低下すると太陽電池モジュールの電圧が上昇する。温度低下に応じて個々の太陽電池モジュールの電圧が上昇するので、平常温度あるいは温暖な環境などの場合よりも低温環境下のほうが太陽電池モジュールストリングの電圧が上昇する。温度環境の変化によって太陽電池モジュールストリングの電圧が想定よりも大きくなりすぎると、その太陽電池モジュールストリングの電圧が電力変換装置の運転許容電圧範囲を逸脱する可能性がある。
【０００８】
この点に関し、前述の特開平６−６９４０号公報に記載されているシステムは、多数のリレーと、所定の演算処理を実施する演算部と、演算部の指令に従って多数のリレーを制御するコントロール部とを含んでいる。当該公報には電力変換装置の運転許容電圧に関する知見は記載されていないものの、システム構成上、太陽電池モジュール直列数の調整自体を行うことは可能である。
【０００９】
しかしながら、特開平６−６９４０号公報にかかるシステムはいくつかの欠点を持つ。具体的な欠点としては、少なくとも、システム構成が複雑という点が挙げられる。このような問題点に鑑み鋭意研究を進めたところ、本願発明者は、前述の特開平６−６９４０号公報に記載されているほどの複雑なシステム構成を要求しない新規な太陽電池直列数調整技術を見出した。
【００１０】
この出願にかかる発明は、上述のような課題を解決するためになされたものである。その目的は、太陽電池モジュールストリングの電圧が電力変換装置の運転許容電圧範囲を逸脱することを抑制することができるように構築された太陽光発電システム、太陽電池モジュールおよび太陽電池モジュール直列数調整装置を提供することを目的とする。
【課題を解決するための手段】
【００１１】
この出願にかかる太陽光発電システムは、複数の太陽電池モジュールが直列に接続された太陽電池モジュールストリングと、前記太陽電池モジュールストリングから電力を受け取る電力変換装置と、前記太陽電池モジュールストリングのなかの前記複数の太陽電池モジュールのうち一部の所定太陽電池モジュールのみに設けられ、前記所定太陽電池モジュールの温度が予め定められた閾値温度を下回ると前記所定太陽電池モジュールの正極負極間を短絡させる経路を設けることで、前記太陽電池モジュールストリングから前記所定太陽電池モジュールを電気的に切り離すように構築された直列数調整手段と、を備える。
【００１２】
この出願にかかる太陽電池モジュールは、直列に接続された複数の太陽電池セルと、前記複数の太陽電池セルからなる直列回路の正極および負極が連通したジャンクションボックスと、周囲温度が予め定められた閾値温度を下回ると前記ジャンクションボックスの前記正極と前記負極との間を短絡させる直列数調整手段と、を備える。
【００１３】
この出願にかかる太陽電池モジュール直列数調整装置は、筐体と、前記筐体の外に連通し、太陽電池モジュールの一方の極のケーブルと接続するための第一端子と、前記筐体の外に連通し、前記太陽電池モジュールの他方の極のケーブルと接続するための第二端子と、前記筐体の外に連通し、前記筐体の内部で前記第一端子と電気接続され、前記太陽電池モジュールとは異なる他の太陽電池モジュールのケーブルと接続するための第三端子と、前記筐体の外に連通し、前記筐体の内部で前記第二端子と電気接続された第四端子と、前記第一端子と前記第三端子とを繋ぐ配線と前記第二端子と前記第四端子とを繋ぐ配線との間の電気接続を短絡と開放とで可逆的に切り替えるスイッチと、を備える。
【発明の効果】
【００１４】
直列数調整手段は、特定の太陽電池モジュールの温度が閾値温度を下回ると、太陽電池モジュールストリングの直列数を減らすことができる。太陽電池モジュールストリングの電圧が電力変換装置の運転許容電圧範囲を逸脱することを抑制することができる。
【図面の簡単な説明】
【００１５】
【図１】実施の形態１にかかる太陽光発電システムを示す構成図である。
【図２】実施の形態１にかかる太陽光発電システムに含まれる所定太陽電池モジュールおよび直列数調整手段を示す構成図である。
【図３】実施の形態１の変形例にかかる所定太陽電池モジュールを示す構成図である
【図４】実施の形態１の変形例にかかる太陽光発電システムを示す構成図である。
【図５】実施の形態２にかかる太陽光発電システムを示す構成図である。
【図６】実施の形態２にかかる太陽光発電システムに含まれる所定太陽電池モジュールおよび直列数調整手段を示す構成図である。
【図７】実施の形態２の変形例にかかる直列数調整手段を示す構成図である。
【発明を実施するための形態】
【００１６】
図１は、実施の形態１にかかる太陽光発電システム１を示す構成図である。太陽光発電システム１は、複数の太陽電池モジュールストリング３を含む太陽電池アレイ２０と、集電箱４と、電力変換装置６と、直列数調整手段３０と、を備えている。電力変換装置６の出力端は、図示しない変圧器等を介して、電力系統１１に接続している。
【００１７】
太陽電池モジュールストリング３は、複数の太陽電池モジュール２、２ｐが直列に接続されたものである。集電箱４によって複数の太陽電池モジュールストリング３がまとめられる。電力変換装置６は、集電箱４を介して複数の太陽電池モジュールストリング３から電力を受け取る。
【００１８】
太陽電池モジュールストリング３のうち、太陽電池モジュール２と太陽電池モジュール２ｐとを区別するために、太陽電池モジュール２ｐを「所定太陽電池モジュール２ｐ」とも称する。所定太陽電池モジュール２ｐは、太陽電池モジュールストリング３のなかの複数の太陽電池モジュール２、２ｐのうち直列数調整手段３０が設けられた太陽電池モジュールである。直列数調整手段３０を取り除いた所定太陽電池モジュール２ｐは、他の太陽電池モジュール２と同様の構造を有する。
【００１９】
図１では、複数の太陽電池モジュールストリング３それぞれにおいて、最も集電箱４に近い太陽電池モジュールが所定太陽電池モジュール２ｐとされている。
【００２０】
直列数調整手段３０は、所定太陽電池モジュール２ｐの温度が予め定められた閾値温度Ｔｔｈを下回ると、所定太陽電池モジュール２ｐの正極負極間を短絡させる短絡経路を設ける。直列数調整手段３０は、この短絡経路を温度に応じて短絡（導通）と遮断（開放）との間で可逆的に切り替え可能に構築されている。直列数調整手段３０は、太陽電池モジュールストリング３から所定太陽電池モジュール２ｐを可逆的に切り離すことができる。
【００２１】
図２は、実施の形態１にかかる太陽光発電システム１に含まれる所定太陽電池モジュール２ｐおよび直列数調整手段３０を示す構成図である。図２は、所定太陽電池モジュール２ｐの裏面を図示したものである。所定太陽電池モジュール２ｐは、直列接続された複数の太陽電池セル１２を含んでいる。前述したように、所定太陽電池モジュール２ｐから直列数調整手段３０を取り除くと、太陽電池モジュール２の構成と同様になる。
【００２２】
所定太陽電池モジュール２ｐの裏面には、ジャンクションボックス１４が設けられている。ジャンクションボックス１４には、正極および負極それぞれのケーブル端子１５が設けられている。ケーブル端子１５の片方はケーブル１６を介して集電箱４へと導かれる。ケーブル端子の他方は前段の太陽電池モジュール２のケーブル端子１５へと接続される。
【００２３】
図２に示すように、実施の形態１では、直列数調整手段３０が、所定太陽電池モジュール２ｐのジャンクションボックス１４の内部に収納されている。実施の形態１にかかる直列数調整手段３０は、サーモスタットで構築されている。サーモスタットである直列数調整手段３０は、所定太陽電池モジュール２ｐの正極負極間に並列接続され、所定太陽電池モジュール２ｐの温度が閾値温度Ｔｔｈを下回るとオンとなることで正極負極間を短絡させる。
【００２４】
サーモスタットは、公知の熱感知スイッチ部品である。具体的には、直列数調整手段３０としてバイメタルサーモスタットが用いられてもよい。バイメタルサーモスタットは、感熱体がバイメタルや形状記憶合金である機械式スイッチである。
【００２５】
サーモスタットによれば、電子部品を用いなくとも太陽電池モジュール直列接続数調節機能を実現することができる利点がある。一般に太陽電池モジュールは屋外に設置されるものであり、電子部品の使用環境としては比較的過酷である。直列数調整手段３０が電子部品を含まないことで、電子部品を用いることに起因する複雑な設計、演算処理、品質評価あるいは信頼性評価などを省略することができる。
【００２６】
太陽電池モジュールストリング３で発生する電圧は、太陽電池モジュールストリング３に含まれる太陽電池モジュール２、２ｐの合計直列数と、それらの太陽電池モジュール２、２ｐの温度とに依存する。太陽電池モジュール２、２ｐの温度が上昇すると太陽電池モジュール２、２ｐの電圧は低下し、太陽電池モジュール２、２ｐの温度が低下すると太陽電池モジュール２、２ｐの電圧は上昇する。
【００２７】
太陽電池モジュールストリング３で発生する電圧も同様の温度依存性を持つ。一方、電力変換装置６は、予め設定された運転許容電圧範囲を持っている。電力変換装置６が好適に運転されるためには、太陽電池モジュールストリング３の電圧がこの運転許容電圧範囲に収まっている必要がある。
【００２８】
電力変換装置６の運転許容電圧範囲の一例は、定格入力電圧であってもよい。３０Ｖモジュール×２０枚＝６００Ｖであるとすれば、６００Ｖが運転許容電圧の上限であってもよい。
【００２９】
低温環境下など太陽電池モジュール２、２ｐの温度が低くなると、個々の太陽電池モジュール２、２ｐの電圧が上がることで太陽電池モジュールストリング３全体の電圧が上昇する。太陽電池モジュールストリング３の電圧上昇により、太陽電池モジュールストリング３の電圧が電力変換装置６の運転許容電圧範囲を逸脱する可能性がある。
【００３０】
この点、実施の形態１によれば、所定太陽電池モジュール２ｐの温度が閾値温度Ｔｔｈを下回っている場合には、直列数調整手段３０が所定太陽電池モジュール２ｐを太陽電池モジュールストリング３から切り離すので、太陽電池モジュールストリング３の直列数を減らすことができる。これにより、太陽電池モジュールストリング３の電圧が電力変換装置６の運転許容電圧範囲を逸脱することを抑制することができる。
【００３１】
また、実施の形態１によれば、所定太陽電池モジュール２ｐの温度が閾値温度Ｔｔｈと同じかそれよりも高い場合には直列数調整手段３０が所定太陽電池モジュール２ｐを太陽電池モジュールストリング３から切り離さないので、太陽電池モジュールストリング３の直列数を元に戻すことができる。これにより、太陽電池モジュールストリング３の電圧が電力変換装置６の運転許容電圧範囲を逸脱する心配がないときには、なるべく多くの太陽電池モジュールで発電を行うことで発電量を確保することができる。
【００３２】
直列数調整手段３０で設定される閾値温度Ｔｔｈは、例えば、ゼロ℃であってもよい。この場合、真冬日などのパネル温度がゼロ℃を下回る氷点下環境においては、所定太陽電池モジュール２ｐは太陽電池モジュールストリング３から切り離される。これにより、低温時に太陽電池モジュールストリング３の直列数を減らすことができるので、低温時に本来の直列数で太陽電池モジュールストリング３の電圧が高くなりすぎる事態が発生するのを抑制することができる。
【００３３】
一方、パネル温度がゼロ℃以上の例えば日中などにおいては、所定太陽電池モジュール２ｐは太陽電池モジュールストリング３に接続したままとなる。その結果、気温がゼロ℃を下回らない平温時には太陽電池モジュールストリング３の直列数を本来の直列数のままとすることができる。これにより、太陽電池モジュールストリング３の電圧が高くなりすぎるおそれがない場合には太陽電池モジュールストリング３の直列数を本来の数に維持することができるので、効率よく発電を行うことができる。
【００３４】
具体的には、実施の形態１では太陽電池モジュールストリング３のうち１つのみが所定太陽電池モジュール２ｐとされており、残りは所定太陽電池モジュール２ｐではない。変形例として、所定太陽電池モジュール２ｐの個数は２でもよい。例としては、太陽電池モジュールの総数が１０〜２０個であり、所定太陽電池モジュール２ｐの個数は１〜２とされてもよい。何れの場合でも、実施の形態１にかかる太陽光発電システム１において、所定太陽電池モジュール２ｐの個数は、太陽電池モジュールストリング３に含まれる太陽電池モジュールの総数よりも少なく設けられる。
【００３５】
実施の形態１では、所定太陽電池モジュール２ｐの温度が閾値温度Ｔｔｈを下回ったときに、仮に所定太陽電池モジュール２ｐが太陽電池モジュールストリング３に接続されたままである場合には、電力変換装置６に入力される電圧が運転許容電圧範囲を超える状態となる可能性が高い。発電量の最大化のために、なるべく多くの太陽電池モジュール２によって太陽電池モジュールストリング３を構成しているからである。
【００３６】
そこで、実施の形態１では、所定太陽電池モジュール２ｐの温度が閾値温度Ｔｔｈを下回ったときに、直列数調整手段３０が太陽電池モジュールストリング３から所定太陽電池モジュール２ｐを電気的に切り離す。これにより太陽電池モジュールストリング３の電圧を下げて、電力変換装置６に入力される電圧を運転許容電圧範囲に収めることができる。
【００３７】
このように構築された実施の形態によれば、太陽電池モジュールストリング３の電圧が運転許容電圧範囲を逸脱するおそれがある程に増加した時点で、タイミングよく、所定太陽電池モジュール２ｐを電気的に切り離すことができる。したがって、なるべく多くの太陽電池モジュールを接続することで発電量を最大化したいという要求と、電力変換装置６を運転許容電圧範囲内で適正運転したいという要求とを、両立することができる。
【００３８】
図３は、実施の形態１の変形例にかかる所定太陽電池モジュール２ｐを示す構成図である。変形例にかかる直列数調整手段１３０は、温度スイッチ回路であってもよい。この変形例にかかる温度スイッチ回路である直列数調整手段１３０は、温度センサ１３３と、記憶手段を含む制御回路１３２と、スイッチ１３１とを含んでいる。
【００３９】
なお、「スイッチ」という用語は電気経路を短絡（つまり導通）と開放（つまり電気的に遮断）との間で可逆的に切り替えることのできる各種公知の構成を意味している。スイッチ１３１は、例えば、機械接点を持つ有接点リレーであってもよく、半導体スイッチング素子などの無接点リレーであってもよい。
【００４０】
温度センサ１３３は、周囲温度すなわち所定太陽電池モジュール２ｐの裏面の温度を検知する。温度センサ１３３の周囲温度は、所定太陽電池モジュール２ｐの温度と相関を持つ。制御回路１３２が含む記憶手段は、閾値温度Ｔｔｈを記憶した不揮発性記憶素子であり、不揮発性メモリなどを用いてもよい。
【００４１】
温度センサ１３３から制御回路１３２に温度信号Ｔｓが入力される。制御回路１３２は、温度信号Ｔｓが表す検知温度が記憶手段で記憶した閾値温度Ｔｔｈを下回ると、スイッチ信号Ｓをオン信号とする。一方、検知温度が閾値温度Ｔｔｈ以上のときには、スイッチ信号Ｓをオフ信号とする。
【００４２】
閾値温度Ｔｔｈは、所定太陽電池モジュール２ｐの温度電圧依存性に従って決まる値である。閾値温度Ｔｔｈは、所定太陽電池モジュール２ｐの電圧が予め定めた閾値電圧Ｖｔｈに一致するときのパネル裏面温度に設定されている。この閾値電圧Ｖｔｈは、太陽電池モジュールストリング３のストリング合計電圧が電力変換装置６の運転許容電圧範囲の上限値を超える前に直列数調整手段３０が作動するように設定される。ストリング合計電圧とは、他の太陽電池モジュール２の電圧と所定太陽電池モジュール２ｐの電圧を合計した電圧である。
【００４３】
スイッチ１３１は、所定太陽電池モジュール２ｐの正極負極間に並列接続されている。スイッチ１３１は、制御回路１３２からのオン信号に応答してオンされることで短絡し、制御回路１３２からのオフ信号に応答してオフされることで開放となるように構築されている。
【００４４】
図４は、実施の形態１の変形例にかかる太陽光発電システム１０１を示す構成図である。図４の変形例のごとく、所定太陽電池モジュール２ｐは、第一所定太陽電池モジュール２ｐ１と第二所定太陽電池モジュール２ｐ２とを含んでもよい。第一所定太陽電池モジュール２ｐ１と第二所定太陽電池モジュール２ｐ２にはそれぞれ図１の直列数調整手段３０が設けられている。
【００４５】
第一所定太陽電池モジュール２ｐ１に設けられた「第一の直列数調整手段３０」は、第一所定太陽電池モジュール２ｐ１の温度が第一閾値温度Ｔｔｈ１を下回ったときに、第一所定太陽電池モジュール２ｐ１を太陽電池モジュールストリング３から電気的に切り離す。
【００４６】
一方、第二所定太陽電池モジュール２ｐ２に設けられた「第二の直列数調整手段３０」は、第二所定太陽電池モジュール２ｐ２の温度が第二閾値温度Ｔｔｈ２を下回ったときに、第二所定太陽電池モジュール２ｐ２を太陽電池モジュールストリング３から電気的に切り離す。第二閾値温度Ｔｔｈ２は、第一閾値温度Ｔｔｈ１と異なる温度に予め設定される。第二閾値温度Ｔｔｈ２は、第一閾値温度Ｔｔｈ１がゼロ℃である場合に、これよりも低い例えばマイナス数℃に予め設定されてもよい。
【００４７】
実施の形態２．
図５は、実施の形態２にかかる太陽光発電システム２０１を示す構成図である。実施の形態２にかかる太陽光発電システム２０１は、基本的には実施の形態１の太陽光発電システム１と同様のシステム構成を備えている。ただし、実施の形態１と実施の形態２との相違点として、実施の形態１における所定太陽電池モジュール２ｐが省略され、代わりに所定太陽電池モジュール２ｑおよび直列数調整手段２３０が設けられている。
【００４８】
図６は、実施の形態２にかかる太陽光発電システム２０１に含まれる所定太陽電池モジュール２ｑおよび直列数調整手段２３０を示す構成図である。実施の形態２にかかる直列数調整手段２３０は、所定太陽電池モジュール２ｑとは別の部品として外付された外付部品である。
【００４９】
直列数調整手段２３０の内部構造は、太陽電池モジュールストリング３の電流を安全に流すことができる程度の電気的信頼性を持つように構築される。また、実施の形態２においては、所定太陽電池モジュール２ｑと他の太陽電池モジュール２とが同じ構成を備えており、直列数調整手段３０の外付けがされるかどうかの区別のために符号を分けているにすぎない。
【００５０】
外付部品として提供された直列数調整手段２３０は、筐体２３０ａと、第一ケーブル端子２１５ａと、第二ケーブル端子２１５ｂと、第三ケーブル端子２１５ｃと、第四ケーブル端子２１５ｄと、スイッチ手段２３１と、を備えている。
【００５１】
筐体２３０ａは、所定太陽電池モジュール２ｑと同等の耐候性を備えるように、屋外設置に耐えうる材料で形成されている。第一ケーブル端子２１５ａは、筐体２３０ａの外に連通し、所定太陽電池モジュール２ｑの一方の極のケーブルと接続される。第二ケーブル端子２１５ｂは、筐体２３０ａの外に連通し、所定太陽電池モジュール２ｑの他方の極のケーブルと接続される。
【００５２】
第三ケーブル端子２１５ｃは、筐体２３０ａの外に連通し、筐体２３０ａの内部で第一ケーブル端子２１５ａと電気接続され、所定太陽電池モジュール２ｑに隣接する他の太陽電池モジュール２のケーブル端子１５が接続される。第四ケーブル端子２１５ｄは、筐体２３０ａの外に連通し、筐体２３０ａの内部で第二ケーブル端子２１５ｂと電気接続されている。第四ケーブル端子２１５ｄは、ケーブル１６を介して集電箱４に接続される。
【００５３】
スイッチ手段２３１は、筐体２３０ａの内部に収納されている。スイッチ手段２３１は、第一ケーブル端子２１５ａと第三ケーブル端子２１５ｃとを繋ぐ配線と、第二ケーブル端子２１５ｂと第四ケーブル端子２１５ｄとを繋ぐ配線との間の電気接続を、短絡と開放とで可逆的に切り替える。第一ケーブル端子２１５ａ〜第四ケーブル端子２１５ｄは、着脱可能コネクタ端子などの、施工者にとって容易に取り外し可能なものであってもよい。
【００５４】
実施の形態２によれば、直列数調整手段２３０が外付部品として提供されることで、所定太陽電池モジュール２ｑ自体は一般普及品を用いつつ太陽電池モジュール直列接続数調整機能を太陽光発電システム２０１に搭載することができる。施工が簡単であるという利点もあり、さらにシステム設置後における後付も簡単である利点がある。
【００５５】
図６に示す直列数調整手段２３０が備えるスイッチ手段２３１は、図２で説明したサーモスタットでもよい。
【００５６】
図７は、実施の形態２の変形例にかかる直列数調整手段３３０を示す構成図である。図７の変形例は、図６に示す直列数調整手段２３０が備えるスイッチ手段２３１を、図３に示す直列数調整手段１３０に置換したものである。この変形例のスイッチ機能はスイッチ１３１で実現される。
【００５７】
実施の形態１にかかる所定太陽電池モジュール２ｑが、単独の製品として提供されても良い。また、実施の形態２にかかる直列数調整手段２３０、３３０が、「太陽電池モジュール直列数調整装置」の形態で、単体の製品として提供されても良い。
【００５８】
以上説明した実施の形態によれば、システム構成が簡易であるという利点と、システム設計の難易度および煩雑さが軽減されているという利点と、システム設置時の施工場面において複雑な作業および煩雑な手間が要求されないという利点とが発揮される。
【符号の説明】
【００５９】
１、１０１、２０１  太陽光発電システム、２  太陽電池モジュール、２ｐ、２ｑ  太陽電池モジュール（所定太陽電池モジュール）、２ｐ１  太陽電池モジュール（第一所定太陽電池モジュール）、２ｐ２  太陽電池モジュール（第二所定太陽電池モジュール）、３  太陽電池モジュールストリング、４  集電箱、６  電力変換装置、１１  電力系統、１２  太陽電池セル、１４  ジャンクションボックス、１５  ケーブル端子、１６  ケーブル、２０  太陽電池アレイ、３０、１３０、２３０、３３０  直列数調整手段、１３１  スイッチ、１３２  制御回路、１３３  温度センサ、２１５ａ  第一ケーブル端子、２１５ｂ  第二ケーブル端子、２１５ｃ  第三ケーブル端子、２１５ｄ  第四ケーブル端子、２３０ａ  筐体、２３１  スイッチ手段、Ｓ  スイッチ信号、Ｔｓ  温度信号、Ｔｔｈ  閾値温度
【図１】
2020120554.tif 000003
【図２】
2020120554.tif 000004
【図３】
2020120554.tif 000005
【図４】
2020120554.tif 000006
【図５】
2020120554.tif 000007
【図６】
2020120554.tif 000008
【図７】
2020120554.tif 000009